(57)【特許請求の範囲】
【請求項１】
内部に洋式便器が設置され、前記洋式便器の両側にサイドサポートが設けられていて、このサイドサポートが、サポート本体と、このサポート本体を支持し、壁または床に支持される支持部材を備え、
前記サポート本体が、上側水平部および下側水平部と、この上側水平部および下側水平部の一端同士を湾曲して連結する湾曲連結部を有するサニタリールームであって、
前記上側水平部が手摺り部となり、前記サポート本体より軟質の材料からなるアームレスト部材が、前記下側水平部によって下側から支持されてアームレスト部が形成されているとともに、
前記アームレスト部材の端面と、前記湾曲連結部の間部分の前記下側水平部間に掛け渡されるように前記サイドサポートに装着される前倒れ防止部材を備え、
この前倒れ防止部材が、部材本体と、この部材本体の一側に連設された第１係合部と、前記部材本体の他側に連設された第２係合部を備え、
前記第１係合部が、前記サイドサポートへの装着状態において水平方向に開口し、前記下側水平部が係合する略Ｃ字形の筒状をしていて、
前記第２係合部が、前記サイドサポートへの装着状態において下方に開口し、前記下側水平部が係合する略Ｃ字形の筒状をしていることを特徴とするサニタリールーム。
【請求項２】
内部に洋式便器が設置され、前記洋式便器の両側にサイドサポートが設けられていて、このサイドサポートが、サポート本体と、このサポート本体を支持し、壁または床に支持される支持部材を備え、
前記サポート本体が、上側水平部および下側水平部と、この上側水平部および下側水平部の一端同士を湾曲して連結する湾曲連結部を有するサニタリールームであって、
前記下側水平部が、前記上側水平部に対し、前記洋式便器側にずれるように水平投影されるように設けられるとともに、
前記上側水平部が手摺り部となり、前記サポート本体より軟質の材料からなるアームレスト部材が、前記下側水平部に下方から支持されてアームレスト部が形成されていることを特徴とするサニタリールーム。
【発明の詳細な説明】
【技術分野】
【０００１】
本発明は、少なくとも洋式便器が設置されたサニタリールーム、特に、高齢者や障害者等が安全に使用しやすいサニタリールームに関する。
【背景技術】
【０００２】
高齢者や障害者等の歩行困難者が利用する介護施設や病院のような施設等には、洋式便器に隣接してシャワー装置や洗面装置が設けられるユニット式のサニタリールームがある（特許文献１）。
また、この種のサニタリールームにおいては、図７に示すように、洋式便器Ｔの両側にアームレスト部１１０を有するサイドサポート１００が設けられていることが多い。
すなわち、サイドサポート１００によって洋式便器を利用する利用者（以下、「利用者」とのみ記す）の体の横方向（着座した状態の左右方向）への倒れを防止するとともに、アームレスト部１１０に肘を掛けて、用便時に安定した姿勢を保つことができるようにしている。
【０００３】
また、このサイドサポート１００は、洋式便器Ｔの後方側に設けられた軸部１２０を中心に上下方向に回動可能に支持されていて、上方に回動させて跳ね上げることができる。
すなわち、サイドサポート１００を跳ね上げ姿勢にすれば、介助者が利用者を介助しながら、洋式便器Ｔの横方向から便座への腰掛け動作あるいは立ち上り動作をさせやすくしたり、介助者が利用者の洗浄等の介助作業をしやすくするようにしている。
図７中、２００は背凭れ、３００はシャワー・洗面装置、４００は壁面固定手摺り、５００はドアである。
【０００４】
また、上記サイドサポート１００以外に、図８に示すようなサポート部材６００が設置されている場合がある。
すなわち、このサポート部材６００は、サイドサポート６１０がステンレス鋼管や樹脂被覆鋼管がＵ字に曲げられて形成されていて、洋式便器Ｔの両側を挟むように支持部６２０を介してサニタリールームの壁面にサイドサポート６１０の２本の水平部６１１，６１２が上下に並ぶように壁面に固定され、上段の水平部６１１がアームレスト部となっている。
【先行技術文献】
【特許文献】
【０００５】
【特許文献１】特開平2013-28978号公報
【発明の概要】
【発明が解決しようとする課題】
【０００６】
ところで、介護施設や病院等では、車椅子から洋式便器の便座に乗り移りやすいように便座の床からの高さは４５０ｍｍ前後となっている。したがって、上記サイドサポート１００、６１０は、その上面が、床から６００ｍｍ前後の高さに設定されている。
しかし、上記高さでは、車椅子を用いず、立位で洋式便器にアプローチできる利用者にとっては、アプローチする際にサポート装置のサイドサポートを手摺り代わりに掴もうとした場合、低すぎて却ってバランスを崩し転倒するおそれがある。
【０００７】
本発明は、上記事情に鑑みて、立位の利用者が洋式便器へのアプローチ用の手摺りとしても安全に用いることができるサポート装置を備えたサニタリールームを提供することを目的としている。
【課題を解決するための手段】
【０００８】
上記目的を達成するために、本発明の請求項１に記載のサニタリールーム（以下、「本発明１のサニタリールーム」と記す）は、内部に洋式便器が設置され、前記洋式便器の両側にサイドサポートが設けられていて、このサイドサポートが、サポート本体と、このサポート本体を支持し、壁または床に支持される支持部材を備え、前記サポート本体が、上側水平部および下側水平部と、この上側水平部および下側水平部の一端同士を湾曲して連結する湾曲連結部を有するサニタリールームであって、前記上側水平部が手摺り部となり、前記サポート本体より軟質の材料からなるアームレスト部材が、前記下側水平部によって下側から支持されてアームレスト部が形成されているとともに、前記アームレスト部材の端面と、前記湾曲連結部の間部分の前記下側水平部間に掛け渡されるように前記サイドサポートに装着される前倒れ防止部材を備え、この前倒れ防止部材が、部材本体と、この部材本体の一側に連設された第１係合部と、前記部材本体の他側に連設された第２係合部を備え、前記第１係合部が、前記サイドサポートへの装着状態において水平方向に開口し、前記下側水平部が係合する略Ｃ字形の筒状をしていて、前記第２係合部が、前記サイドサポートへの装着状態において下方に開口し、前記下側水平部が係合する略Ｃ字形の筒状をしていることを特徴としている。
【０００９】
また、本発明の請求項２に記載のサニタリールーム（以下、「本発明２のサニタリールーム」と記す）は、内部に洋式便器が設置され、前記洋式便器の両側にサイドサポートが設けられていて、このサイドサポートが、サポート本体と、このサポート本体を支持し、壁または床に支持される支持部材を備え、前記サポート本体が、上側水平部および下側水平部と、この上側水平部および下側水平部の一端同士を湾曲して連結する湾曲連結部を有するサニタリールームであって、前記下側水平部が、前記上側水平部に対し、前記洋式便器側にずれるように水平投影されるように設けられるとともに、前記上側水平部が手摺り部となり、前記サポート本体より軟質の材料からなるアームレスト部材が、前記下側水平部に下方から支持されてアームレスト部が形成されていることを特徴としている。
【００１０】
本発明のサニタリールームは、水平投影したとき、アームレスト部の洋式便器側の端縁が、手摺り部の洋式便器側の端縁より洋式便器側に５０ｍｍ以上突出して投影されるようにアームレスト部を設けることが好ましい。
すなわち、洋式便器に着座したときに、手摺り部が邪魔にならず、スムーズに腕をアームレスト部に支持させることができる。アームレスト部の突出長さは、５０ｍｍ以上であれば、特に限定されないが、７０ｍｍ程度が好ましい。また、あまり突出しすぎると、上手摺り部が洋式便器から離れすぎて、アプローチしにくくなるおそれがある、あるいは、アームレスト部が洋式便器側に近づきすぎて利用者を圧迫するおそれがあるため、１００ｍｍ以下が好ましい。
なお、水平投影とは、鉛直方向から正投影することを意味する。
【００１１】
なお、上記サポート本体は、鋼管やステンレス鋼管を曲げ加工して得ることができ、表面に塗装が施されていてもよいし、樹脂被覆されていてもよい。
アームレスト部材としては、特に限定されないが、たとえば、軟質の発泡ウレタン樹脂や、金属や硬質プラスチックの表面をエラストマー等の弾性材料で被覆したものが挙げられる。
【００１２】
上記手で掴んで体位を保持しやすい太さとは、平均的な利用者が、手で握ることができて、自分で立位した状態を保持できれば、特に限定されないが、たとえば、直径で２５ｍｍ〜４０ｍｍで、断面が円形あるいは楕円形のものが好ましく、直径３０ｍｍ〜３５ｍｍで、断面が円形あるいは楕円形のものが特に好ましい。
【００１３】
本発明のサニタリールームは、サイドサポート以外に、背凭れ部を設けることが好ましい。
すなわち、背凭れ部を設けることによって、サイドサポートによって利用者の側方への倒れを防止することができるだけでなく、利用者が背凭れ部に背中を支持させた状態で着座することができ、より安定した状態で着座できる。
【００１４】
また、背凭れ部は、利用者の背中を受ける背凭れ本体部と、この背凭れ本体部を支持するフレーム材とで構成し、このフレーム材を手で掴んで体位を保持しやすい太さにしておけば、フレーム材を手摺りとして用いることができる。
さらに、背凭れ部本体としては、特に限定されないが、たとえば、軟質の発泡ウレタン樹脂や、金属や硬質プラスチックの表面をエラストマー等の弾性材料で被覆したものが挙げられる。
【００１５】
本発明のサニタリールームは、洋式便器が、洋式便器の幅方向の両側で、サイドサポートとサニタリールームの壁面との間に、洋式便器の側方からアプローチ可能な空間を形成するように設けられ、前記サイドサポートが、洋式便器着座時使用位置と、洋式便器から壁面側に回動した手摺り専用使用位置とを選択可能に支持部材を介して水平方向に回動可能に支持されている構成とすることが好ましい。
すなわち、手摺り専用使用位置まで回動しておけば、手摺り部が壁に近くなり、利用者本人が、壁に設けられた別の手摺りや壁を伝いつつ、手摺り部を持って立位状態で安全に洋式便器の側方までアプローチしやすくなる。
【００１６】
また、洋式便器の両側にアプローチ可能な空間が設けられていることによって、片側マヒで左右いずれか一方の手でしか手摺り部をつかめないような人も安全にアプローチできる。
しかも、アプローチ可能な空間を使用すれば、洋式便器の両側から介助者が利用者を容易にサポートすることができるとともに、２人の介助者が同時に両側からサポートできて、一人では介助できないような重度の障害をもつ利用者も、洋式便器へ安全に着座および車椅子等に乗り移りを行わせることができる。
【００１７】
本発明のサニタリールームは、洋式便器に着座した利用者の前方で、２つのサイドサポートを連結し、着座した利用者の前倒れを防止する前倒れ防止部材をサイドサポートに着脱自在に備えていることが好ましい。
すなわち、上記構成にすれば、前倒れ防止部材を装着することで、利用者が背凭れや便器の水槽等に背中を受けさせず、前傾姿勢になる場合も安定した状態で姿勢を保持させることができる。そして、前傾姿勢に保持することでよりよく排泄を促すことができる。また、姿勢を安定保持しにくい介護度の高い利用者もより安全である。
【００１８】
本発明のサニタリールームは、特に限定されないが、スケルトンが、ユニット化された防水パン、壁パネル、天井パネルおよびドアを組み立て形成されるユニット式であることが好ましい。
すなわち、在来工法に比べ、短期間で施工可能であるとともに、施工が容易で防水信頼性が高い。
【００１９】
また、本発明のサニタリールームは、特に限定されないが、洋式便器以外に、シャワー装置および洗面装置の少なくともいずれかを備えていてもよい。
【発明の効果】
【００２０】
上記のように、本発明１のサニタリールームは、内部に洋式便器が設置され、前記洋式便器の両側にサイドサポートが設けられていて、このサイドサポートが、サポート本体と、このサポート本体を支持し、壁または床に支持される支持部材を備え、前記サポート本体が、上側水平部および下側水平部と、この上側水平部および下側水平部の一端同士を湾曲して連結する湾曲連結部を有するサニタリールームであって、前記上側水平部が手摺り部となり、前記サポート本体より軟質の材料からなるアームレスト部材が、前記下側水平部によって下側から支持されてアームレスト部が形成されているとともに、前記アームレスト部材の端面と、前記湾曲連結部の間部分の前記下側水平部間に掛け渡されるように前記サイドサポートに装着される前倒れ防止部材を備え、この前倒れ防止部材が、部材本体と、この部材本体の一側に連設された第１係合部と、前記部材本体の他側に連設された第２係合部を備え、前記第１係合部が、前記サイドサポートへの装着状態において水平方向に開口し、前記下側水平部が係合する略Ｃ字形の筒状をしていて、前記第２係合部が、前記サイドサポートへの装着状態において下方に開口し、前記下側水平部が係合する略Ｃ字形の筒状をしているので、前倒れ防止部材を装着することで、利用者が前傾姿勢になる場合も安定した状態で姿勢を保持させることができる。そして、前傾姿勢に保持することでよりよく排泄を促すことができる。また、姿勢を安定保持しにくい介護度の高い利用者もより安全である。
そして、前倒れ防止部材が不要な利用者の場合、取り外しておけば、邪魔にならない。
【００２１】
また、本発明２のサニタリールームは、内部に洋式便器が設置され、前記洋式便器の両側にサイドサポートが設けられていて、このサイドサポートが、サポート本体と、このサポート本体を支持し、壁または床に支持される支持部材を備え、前記サポート本体が、上側水平部および下側水平部と、この上側水平部および下側水平部の一端同士を湾曲して連結する湾曲連結部を有するサニタリールームであって、前記下側水平部が、前記上側水平部に対し、前記洋式便器側にずれるように水平投影されるように設けられるとともに、前記上側水平部が手摺り部となり、前記サポート本体より軟質の材料からなるアームレスト部材が、前記下側水平部に下方から支持されてアームレスト部が形成されているので、利用者の腕の上げ下げに上側水平部が邪魔にならない。また、アームレスト部材の下側水平部から洋式便器Ｔ側への突出長さを短くすることができるため、より軟質なクッション性に富み使用感に優れた材料でアームレスト部材を作製することができる。
【００２２】
さらに、本発明のサニタリールームは、水平投影したとき、アームレスト部の洋式便器側の端縁が、手摺り部の洋式便器側の端縁より洋式便器側に５０ｍｍ以上突出して投影されるようにアームレスト部を設けるようにすれば、手摺り部が邪魔にならずに下段のアームレスト部に肘を掛けることができる。また、アームレスト部に肘を掛けた状態で利用者の体が洋式便器の側方に傾こうとしても、上腕部が上段の手摺り部の側面に受けられ、傾きが防止される。
そして、手摺り部が、座高が高い利用者等のアームレスト部としても用いることができる。
【図面の簡単な説明】
【００２３】
【図１】本発明のサニタリールームの参考例の断面図である。
【図２】図１のサニタリールームのサポート装置の斜視図である。
【図３】本発明のサニタリールームの第１の実施の形態で、洋式便器を正面からみた要部斜視図である。
【図４】図３のサニタリールームの洋式便器を左斜め方向からみた要部斜視図である。
【図５】本発明のサニタリールームの第２の実施の形態の断面図である。
【図６】図５のサニタリールームのサイドサポートと、前倒れ防止部材の着脱機構を説明する図であって、同図（ａ）は装着状態、同図（ｂ）は装着途中の状態をあらわしている。
【図７】従来のサニタリールームの断面図である。
【図８】従来の洋式便器のサイドサポートを説明する斜視図である。
【発明を実施するための形態】
【００２４】
以下に、本発明を、その実施の形態を参照して詳しく説明する。
図１は、本発明にかかるサニタリールームの参考例をあらわしている。
【００２５】
図１に示すように、このサニタリールームＡは、ユニット式であって、スケルトンが、床を構成する防水パン１と、この防水パン１上に支持されるドア２１と、ドア２１とともに周壁２を形成する複数の壁パネル（図では詳細にあらわしていない）と、天井を構成する天井パネル（図示せず）とから形成される。
周壁２は、ドア２１と、ドア２１に対面する後方壁２２と、ドア２１の一側方向の第１側方壁２３とのコーナーが切り欠かれた形状の斜め壁２４と、ドア２１の他側方向の第２側方壁２５を備えた平面視５角形をしている。
【００２６】
ドア２１は、スライド式の３枚扉で、最大で約２／３の幅で開口し、車椅子がスムーズに出入可能になっている。
また、サニタリールームＡ内には、洋式便器Ｔと、サポート装置３ａ、シャワー・洗面装置４、手摺り５ａ〜５ｄが設けられている。
そして、洋式便器Ｔは、その後方壁２２側が斜め壁２４に向うように配置され、前後方向が後方壁２２およびドア２１に対して４５度に傾いた状態に設置されている。
【００２７】
すなわち、洋式便器Ｔと後方壁２２との間、および洋式便器Ｔと第１側方壁２３との間には、介助者（図示せず）のアプローチ用空間Ｓが設けられるようにしている。
アプローチ用空間Ｓは、後述する、サイドサポート６ａがサイドサポート位置にあるときに、介助者が入り込んで、洋式便器Ｔを使用する利用者の介助作業を行える広さになっている。
【００２８】
サポート装置３ａは、図１および図２に示すように、１対のサイドサポート６ａと、１対の支持部材７ａと、背凭れ部８ａとを備えている。
また、１対のサイドサポート６ａは、それぞれサイドサポート本体６１と、アームレスト部材６２と、支柱取り付け筒部６３とを備えている。
【００２９】
サイドサポート本体６１は、手で掴んで体位を保持しやすい太さである２５ｍｍ〜４０ｍｍ（特に好ましくは３０ｍｍ〜３５ｍｍ）のパイプを略Ｕ字形に湾曲させて形成され、上側水平部６１ａ、下側水平部６１ｂ、および、これらの水平部６１ａ，６１ｂの一端同士を湾曲して連結する湾曲連結部６１ｃを備えている。
また、上側水平部６１ａと下側水平部６１ｂは、反湾曲連結部側の他端が、支柱取り付け筒部６３の側方壁に溶接固定されている。
【００３０】
また、上側水平部６１ａと下側水平部６１ｂは、その中心軸が、支柱取り付け筒部６３の筒の中心軸に直交している。
すなわち、支柱取り付け筒部６３の中心軸方向から投影すると、上側水平部６１ａと下側水平部６１ｂが完全に重なるように支柱取り付け筒部６３に固定されている。
【００３１】
そして、上側水平部６１ａが後述するように手摺り部を兼ねるとともに、下側水平部６１ｂにアイームレスト部となるアームレスト部材６２が支持固定されている。
アームレスト部材６２は、ウレタン樹脂発泡体で形成され、サイドサポート本体６１に比べクッション性に富んでいるとともに、図１に示すように、水平投影したとき、その洋式便器Ｔ側端縁の上側水平部６１ａの洋式便器Ｔ側の端縁より突出幅ｗが５０ｍｍ以上となるように突出して投影される。
【００３２】
支持部材７ａは、支柱部７１と、上下１対の壁面固着部７２とを備え、サイドサポート本体６１と同様のパイプの両側部を、同方向に湾曲させながら折り曲げて略コ字をしている。
一方の支持部材７ａは、支柱部７１の中心軸が鉛直となるように、壁面固着部７２が後方壁２２の斜め壁近傍に固定されている。
他方の支持部材７ａは、支柱部７１の中心軸が鉛直となるように、壁面固着部７２が第１側方壁２３の斜め壁近傍に固定されている。
【００３３】
そして、サイドサポート本体６１は、サイドサポート６ａが、図１に実線で示す洋式便器着座時使用位置ａ、洋式便器着座時使用位置ａから２２．５度後方壁２２側あるいは第１側方壁２３側に向かって回動した二点鎖線で示す第１手摺り専用使用位置ｂ、および、洋式便器着座時使用位置ａから４５度後方壁２２あるいは第１側方壁２３側回転した二点鎖線で示す第２手摺り専用使用位置ｃをそれぞれ選択可能に支柱取り付け筒部６３が支持部材７ａの支柱部７１に回動可能に外嵌されている。
なお、サイドサポート本体６１は、洋式便器着座時使用位置ａと、第１手摺り専用使用位置ｂ、あるいは、第２手摺り専用使用位置ｃで上方に押し上げられると、回動ロックが解除されて、その状態で水平方向に押す（あるいは引く）と押した方向（あるいは引いた方向）に回動し、洋式便器着座時使用位置ａ、第１手摺り専用使用位置ｂ、あるいは、第２手摺り専用使用位置ｃまで回動すると、自重で回動ロック状態となるようにされている。
【００３４】
また、サイドサポート６ａは、上側水平部６１ａの上端の床からの高さＨ１が７００〜８００ｍｍ、アームレスト部材６２の上端の床からの高さＨ２が５５０〜６５０ｍｍとなっている。
背凭れ部８ａは、フレーム部８０と背凭れ本体８１とを備えている。
フレーム部８０は、手で掴んで体位を保持しやすい太さである２５ｍｍ〜４０ｍｍ（特に好ましくは３０ｍｍ〜３５ｍｍ）で形成され、支柱部７１間を連結するように設けられている。
背凭れ本体８１は、アームレスト部材６２と同様の発泡ウレタン樹脂で形成されていて、その上端部がフレーム部８０に固定されている。
【００３５】
このサニタリールームは、上記のように、サポート装置３ａのアームレスト部材６２の上端の高さＨ２が５５０〜６５０ｍｍであるので、利用者がアームレスト部に肘を掛けた状態で安定して着座することができる。
また、床からの高さＨ１が７００〜８００ｍｍの位置に手摺り部となる上側水平部６１ａを備えているので、洋式便器Ｔの利用者が立位で上側水平部６１ａを持ちながら洋式便器Ｔに安全にアプローチしやすい。
しかも、水平投影したとき、アームレスト部材６２の洋式便器Ｔ側端縁が上側水平部６１ａの洋式便器Ｔ側の端縁より５０ｍｍ以上洋式便器Ｔ側に突出して投影されるようになっているので、利用者の腕の上げ下げに上側水平部６１ａが邪魔にならない。
【００３６】
また、サイドサポート６ａが、洋式便器着座時使用位置ａと、第１手摺り専用使用位置ｂ、あるいは、第２手摺り専用使用位置ｃを採ることができるので、介助者の見守りだけで、手摺り５ａ（５ｂ，５ｃ，５ｄ）や上側水平部６１ａを持ちながら立位で歩行が可能な利用者の場合、サイドサポート６ａを第１手摺り専用位置ｂあるいは第２手摺り専用位置ｃになるように回動させておけば、手摺り５ａ（５ｂ，５ｃ，５ｄ）および上側水平部６１ａを持ちながら、洋式便器Ｔの側方から自力で洋式便器Ｔにアプローチできる。
特に、サイドサポート６ａが第２手摺り専用位置ｃにある場合、手摺り５ａ（５ｂ，５ｃ，５ｄ）を用いるとともに、周壁２伝いに洋式便器Ｔにアプローチすることができるため、より安全性が高い。
【００３７】
また、両側のサイドサポート６ａが回動するため、片麻痺の利用者もいずれかの壁伝いにアプローチでき、安全である。
さらに、アプローチ用空間Ｓを備えているので、アプローチ用空間Ｓを使用すれば、洋式便器Ｔの両側から介助者が歩行困難な利用者を容易にサポートすることができるとともに、２人の介助者が同時に両側からサポートできて、一人では介助できないような重度の障害をもつ利用者も、洋式便器Ｔへ安全に着座および車椅子等に乗り移りを行わせることができる。
【００３８】
また、アームレスト部材６２が軟質の発泡ウレタン樹脂で形成され、クッション性に富んでいるので、利用者が違和感なく肘をかけることができる。
【００３９】
サイドサポート本体６１が、洋式便器着座時使用位置ａと、第１手摺り専用使用位置ｂ、あるいは、第２手摺り専用使用位置ｃで上方に押し上げられると、回動ロックが解除されるようになっているので、すなわち、不意の荷重がかかりにくい、上方へのみ荷重がかかったときにのみロックが解除されるようになっているので、利用者が転倒を避けようとサイドサポート６ａによって体を支えようとしたときにロックが解除されず、安全である。
そして、上方へ押し上げるだけでロックが解除できるので、回動操作を容易に行える。
【００４０】
また、背凭れ部８ａを備えているので、サイドサポート６ａによって利用者の側方への傾きを防止できるだけでなく、背凭れ本体８１に利用者の背中を受けさせるように利用者を着座させることができ、利用者により安定した安全な着座姿勢を採らせることができる。
さらに、フレーム部８０が、手で掴んで体位を保持しやすい太さである２５ｍｍ〜４０ｍｍ（特に好ましくは３０ｍｍ〜３５ｍｍ）で形成され、支柱部７１間を連結するように設けられているので、フレーム部８０も手摺りとして用いることができ、利用者が立位によりサニタリールーム内を移動する際に安全性を高くすることができる。
【００４１】
図３および図４は、本発明のサニタリールームの第１の実施の形態をあらわしている。
図３および図４に示すように、このサニタリールームＢは、サポート装置３ｂの支持部材７ｂが後方壁２２に固定されるプレート状をした壁面固定部７３と、この壁面固定部７３の上端から上側支持部７４が突設され、壁面固定部７３の下端から下側支持部７５が突設されている。
【００４２】
そして、上記参考例と同様に、サイドサポート６ｂの支柱取り付け筒部６３が上側支持部７４と下側支持部７５とを連結するように設けられた支柱（図示せず）に外嵌されている。
また、サイドサポート６ｂのサイドサポート本体６４は、上側水平部６４ａが下側水平部６４ｂのより洋式便器Ｔから離れた位置から延出するように、反湾曲連結部側が支柱取り付け筒部６３に固定されている。
【００４３】
すなわち、水平投影したとき、サイドサポート本体６４の下側水平部６４ｂが上側水平部６４ａに対し洋式便器Ｔ側にずれるように投影されるように設けられている。
そして、アームレスト部材６２の下側水平部６４ｂから洋式便器Ｔ側への突出を短くした以外は、参考例のサニタリールームと同様になっている。
したがって、参考例と同様の構成部分は同じ符号を付している。なお、図３．４中、６４ｃは湾曲連結部である。
【００４４】
このサニタリールームＢは、図示していないが、アプローチ用空間Ｓを備え、サイドサポート６ｂが洋式便器着座時使用位置ａと、第１手摺り専用使用位置ｂ、あるいは、第２手摺り専用使用位置ｃを選択できるようになっているので、第１の実施の形態と同様の効果を備えている。
また、上記のように、水平投影したとき、サイドサポート本体６４の下側水平部６４ｂが上側水平部６４ａに対し洋式便器Ｔ側にずれるように投影されるように設けられているので、第１の実施の形態より、アームレスト部材６２の下側水平部６４ｂから洋式便器Ｔ側への突出長さを短くすることができる。
すなわち、より軟質なクッション性に富み使用感に優れた材料でアームレスト部材６２を作製することができる。
【００４５】
図５は、本発明のサニタリールームの第２の実施の形態をあらわしている。
図５に示すように、このサニタリールームＣは、前倒れ防止部材９を備えている。
【００４６】
前倒れ防止部材９は、洋式便器Ｔに着座した利用者の前方で、２つのサイドサポート６ａを連結し、着座した使用者の前倒れを防止するようになっている。
前倒れ防止部材９は、図６に示すように、部材本体９１と、第１係合部９２と、第２係合部９３と、クッション材９４とを備えている。
【００４７】
第１係合部９２は、図６（ａ）に示すように、サイドサポート６ａへの装着状態において、水平方向に開口９２ａが向く略Ｃ字形の略筒状をしている。そして、第１係合部９２は、開口９２ａを下側水平部６１ｂに臨ませ、下側水平部６１ｂ方向に押し込むと弾性変形しつつ下側水平部６１ｂが内部に入り込んで係合状態となるように形成されている。
一方、第２係合部９３は、図６（ａ）に示すように、サイドサポート６ａへの装着状態において、下方に開口９３ａが向く略Ｃ字形の略筒状をしている。そして、第２係合部９３は、開口９３ａを下側水平部６１ｂに臨ませ、下側水平部６１ｂ方向に押し込むと弾性変形しつつ下側水平部６１ｂが内部に入り込んで係合状態となるように形成されている。
【００４８】
そして、この前倒れ防止部材９は、第１係合部９２を、図６（ｂ）に示すように、斜め上方から一方（この実施の形態では、洋式便器Ｔに向って左側）のサイドサポート６ａの下側水平部６１ｂに係合させたのち、図６（ｂ）に矢印でしめすように、第２係合部９３側を下方に向うように第１係合部９２側を中心に回動させて図６（ａ）に示すように第２係合部９３を他方のサイドサポート６ａの下側水平部６１ｂに係合させることによって装着できる。
また、上記装着工程を逆転させれば、容易に取り外すことができる。
【００４９】
クッション材９４は、アームレスト部材６２と同様にウレタン樹脂発泡体で形成されている。
なお、上記以外は、参考例と同様になっているので、参考例と同様の構成部分は同じ符号を付している。
【００５０】
このサニタリールームＣは、着脱自在な前倒れ防止部材９を備えているので、前倒れ防止部材９を装着することで、利用者が前傾姿勢になる場合も安定した状態で姿勢を保持させることができる。そして、前傾姿勢に保持することでよりよく排泄を促すことができる。また、姿勢を安定保持しにくい介護度の高い利用者もより安全である。
そして、前倒れ防止部材９が不要な利用者の場合、取り外しておけば、邪魔にならない。
【００５１】
本発明のサニタリールームは、上記の実施の形態に限定されない。たとえば、上記の実施の形態では、ドアの正面壁と一方の側面壁とのコーナー部に当たる部分が斜め壁になっていて、ドアを含む周壁が平面視で五角形となっていたが、斜め壁は設けず、洋式便器を、その後方壁側がドアの正面壁と一方の側面壁に対して斜めになるように配置するだけでも構わない。
また、洋式便器を後方壁の幅方向の中央部に配置し、洋式便器の両側にアプローチ用空間を設け、サイドサポートを両方後方壁に沿うように９０度回動可能に設けるようにしても構わない。
【００５２】
上記の実施の形態では、サポート装置が後方壁と第１側方壁に支持固定されていた、すなわち、壁のみで荷重が支持されるようになっていたが、支柱部の下端を床で支持するようにしても構わない。
【符号の説明】
【００５３】
Ａ，Ｂ，Ｃ  サニタリールーム
Ｓ  アプローチ用空間
Ｔ  洋式便器
ａ  洋式便器着座時使用位置
ｂ  第１手摺り専用使用位置
ｃ  第２手摺り専用使用位置
ｗ  突出幅
１  防水パン
２  周壁
２１  ドア
２２  後方壁
２３  第１側方壁
２４  斜め壁
２５  第２側方壁
３ａ,３ｂ  サポート装置
４  シャワー・洗面装置
５ａ〜５ｄ  手摺り
６ａ  サイドサポート
６１、６４  サイドサポート本体
６２  アームレスト部材（アームレスト部）
６３  支柱取り付け筒部
６１ａ  上側水平部（手摺り部）
６１ｂ  下側水平部
６１ｃ  湾曲連結部
６４ａ  上側水平部
６４ｂ  下側水平部
６４ｃ  湾曲連結部
６６  受け金具
７ａ, ７ｂ  支持部材
７１  支柱部
７２  壁面固着部
７３  壁面固定部
７４  上側支持部
７５  下側支持部
８ａ  背凭れ部
８０  フレーム部
８１  背凭れ本体
９  前倒れ防止部材
９１  部材本体
９２  第１係合部
９２ａ  開口
９３  第２係合部
９３ａ  開口
９４  クッション材
【図１】
0006344990.tif 000002
【図２】
0006344990.tif 000003
【図３】
0006344990.tif 000004
【図４】
0006344990.tif 000005
【図５】
0006344990.tif 000006
【図６】
0006344990.tif 000007
【図７】
0006344990.tif 000008
【図８】
0006344990.tif 000009